(57)【要約】折り畳み式の上端が開口する容器は単一のシート１から作られ、このシートを折り曲げることによって容器に変えることができる折り曲げ線(４，７)を持った材料からなる。この容器は、底(３)と、この底から延在して縁辺(５)を画成する側壁(１６)とを有する。側壁は、隅部(１１)によりそれぞれの端部がつなげられている。隅部のそれぞれは、２つの折り曲げ線から形成されるフラップである。このフラップは、１つの側壁に向けて延在する外側部(８ｃ)と、隣接する側壁に向けて延在する内側部(８ｂ)と、内側部および外側部の間の中間部(８ａ)とを有する。前記内側部および外側部の一方にある第１の一体構成部(ノッチ１２)は、フラップを折り曲げ状態に保持するために前記内側部および外側部の他方(ノッチ１４)と噛み合わされる。
2006502922.tif 000002
【特許請求の範囲】
【請求項１】
折り曲げ線を有する材料の単一シートから構成される上端が開いた容器であって、前記材料を前記折り曲げ線にて折り曲げることにより、前記シートを平らな状態から前記容器へと変えることができ、前記容器は底とこの底から延在して容器の縁辺を画成する複数の側壁とを具え、これらの側壁は、これらの各端部にて隅部によりつなげられ、隅部のそれぞれは前記縁辺から延在して前記底と分岐点にて交わる２本の折り曲げ線から形成されるフラップを構成し、このフラップは、１つの側壁へと延在する外側部と、隣接する側壁へと延在する内側部と、これら内側部および外側部の間の中間部と、前記内側部および外側部の一方にあって、前記フラップを折り曲げ状態に保持するように前記内側部および外側部の他方と噛み合う第１の一体構成部とを有することを特徴とする折りたたみ式容器。
【請求項２】
前記第１の一体構成部が前記隅部の内側部の縁辺にあるタグであり、このタグは前記隅部の前記中間部と外側部との間の空間に折り返されることを特徴とする請求項１に記載の折りたたみ式容器。
【請求項３】
少なくとも２つの隅部が複合隅部を形成するように相互に隣接し合い、前記複合隅部の前記隣接する隅部の前記外側部が相互に隣接していることを特徴とする請求項２に記載の折りたたみ式容器。
【請求項４】
少なくとも３つの前記複合隅部があることを特徴とする請求項３に記載の折りたたみ式容器。
【請求項５】
前記第１の一体構成部が前記隅部の内側部および外側部の一方の縁辺にある第１のノッチであり、このノッチは、前記隅部の内側部および外側部の他方の縁辺にある第２のノッチを具えた第２の一体構成部と噛み合わされることを特徴とする請求項１に記載の折りたたみ式容器。
【請求項６】
前記隅部の前記内側部および外側部の一方の縁辺がタブを有し、前記第１のノッチがこのタブと前記内側部および外側部の一方との間に画成され、当該ノッチは、前記内側部および外側部の一方と前記中間部との間の前記折り曲げ線に開口し、これが前記縁辺をつなぐことを特徴とする請求項５に記載の折りたたみ式容器。
【請求項７】
前記タブは、前記フラップがその折り曲げ位置にある場合、容器の縁辺の前記側壁の間の空間をほぼ塞ぐことを特徴とする請求項６に記載の折りたたみ式容器。
【請求項８】
ノッチのそれぞれが根元を有し、前記フラップがその折り曲げ位置にある場合、各ノッチの根元が合致していることを特徴とする請求項５から請求項７の何れかに記載の折りたたみ式容器。
【請求項９】
前記フラップがその折り曲げ位置にある場合、前記第１および第２のノッチは一直線状に並んでいることを特徴とする請求項５から請求項７の何れかに記載の折りたたみ式容器。
【請求項１０】
前記第１の一体構成部が前記隅部の内側部にあるフックであり、このフックは前記内側部の２本の辺を持ったＶ字形切り欠きにより形成され、前記中間部に最も近い第１の前記辺は前記縁辺まで延在し、前記中間部から最も遠い第２の前記辺は前記縁辺から所定距離で終わり、前記第２の辺は、前記フラップがその折り曲げ位置にある場合、前記中間部と外側部との間の折り曲げ線と一直線状に並び、前記外側部と中間部との間の折り曲げ線は、前記フラップがその折り曲げ位置にある場合、Ｖ字形切り欠きの前記第２の辺の先端とほぼ同じ深さまで前記縁辺から除去され、前記フックは、前記隅部の前記中間部と外側部との間の折り曲げ線と係合する際、前記フラップをその折り曲げ状態に保持するようになっていることを特徴とする請求項１に記載の折りたたみ式容器。
【請求項１１】
前記外側部と中間部との間の前記折り曲げ線の前記除去は、その縁辺での前記折り曲げ線によって形成される前記隅部を除去することにより達成されることを特徴とする請求項１０に記載の折りたたみ式容器。
【請求項１２】
根元と２つ節とを持ったＶ字形折り曲げ線によって前記隅部の前記フックと内側部分との間にヒンジが形成され、前記根元は前記Ｖ字形切り欠きの第２の辺の先端と一致し、前記節が前記縁辺まで延在していることを特徴とする請求項１０または請求項１１に記載の折りたたみ式容器。
【請求項１３】
前記Ｖ字形折り曲げ線の一方の節は、前記Ｖ字形切り欠きの第２の辺と一直線状に並んでいることを特徴とする請求項１２に記載の折りたたみ式容器。
【請求項１４】
前記Ｖ字形折り曲げ線の他方の辺は、前記Ｖ形形切り欠きの第２の辺に対してほぼ直交していることを特徴とする請求項１３に記載の折りたたみ式容器。
【請求項１５】
前記第１の一体構成部は、前記外側部および中間部の両方に形成されたウイングであり、このウイングは前記中間部の縁辺から前記外側部の縁辺まで延在する折り曲げ線によって形成され、前記第２の一体構成部は前記内側部の縁辺にスロットを具え、前記内側部は、前記ウイングが折り曲げ状態にある場合、前記縁辺から前記外側部および中間部の先端とほぼ一致する深さまで除去され、前記スロットが前記ウイングと噛み合う際に前記フラップをその折り曲げ状態に保持するようになっていることを特徴とする請求項１に記載の折りたたみ式容器。
【請求項１６】
前記底と側壁との間に折り曲げ線が画成され、これら折り曲げ線は隣接する隅部の前記合流点の間に延在していることを特徴とする請求項１から請求項１５の何れかに記載の折りたたみ式容器。
【請求項１７】
前記材料からなるシートは、展開した平らな場合、ほぼ六角形状であることを特徴とする請求項１から請求項１６の何れかに記載の折りたたみ式容器。
【請求項１８】
前記材料からなるシートが耐水材料であることを特徴とする請求項１から請求項１７の何れかに記載の折りたたみ式容器。
【請求項１９】
前記材料からなるシートがプラスチック材料であることを特徴とする請求項１８に記載の折りたたみ式容器。
【請求項２０】
前記プラスチック材料がポリプロピレンであることを特徴とする請求項１９に記載の折りたたみ式容器。
【請求項２１】
ボウルの形態にあることを特徴とする請求項１から請求項２０の何れかに記載の折りたたみ式容器。
【発明の詳細な説明】
【技術分野】
【０００１】
本発明は、容器が液体および固体の両方を収容するのに使用できるように、例えば耐水材料にて作られた一枚の平らなシートから作られる容器に関する。
【背景技術】
【０００２】
折りたたみ式容器は、個人的な飲食のための飲み物または食品を収容するカップの如き容器として用いるものとして知られている。このような折りたたみ式容器は、これらが手または指の力をこれらに加えずに折り曲げられた状態に保持されない場合に構造が単純であるか、あるいはこれらはその折り曲げ状態を維持するために折り曲げられた容器本体に装着されるクランプまたは他の器具を含む比較的複雑な構造の何れかである。
【発明の開示】
【発明が解決しようとする課題】
【０００３】
部品の全体的な複雑さおよびコストを増加する独立した留め具または他の部材を用いることなく、その折り曲げ状態を維持することができる単純な折りたたみ式容器に対する要求がある。
【課題を解決するための手段】
【０００４】
本発明の第１の形態によると、折り曲げ線を有する材料の単一のシートから構成される上端が開いた容器が提供され、前記材料を前記折り曲げ線にて折り曲げることにより、前記シートを平らな状態から前記容器へと変えることができ、前記容器は底とこの底から延在して容器の縁辺を画成する複数の側壁とを具え、これらの側壁は、これらの各端部にて隅部によりつなげられ、隅部のそれぞれは前記縁辺から延在して前記底と分岐点にて交わる２本の折り曲げ線から形成されるフラップを構成し、このフラップは、１つの側壁へと延在する外側部と、隣接する側壁へと延在する内側部と、これら内側部および外側部の間の中間部と、前記内側部および外側部の一方にあって、前記フラップを折り曲げ状態に保持するように前記内側部および外側部の他方と噛み合う第１の一体構成部とを有する。
【０００５】
好ましくは、前記第１の一体構成部は隅部の内側部の縁辺にあるタグであり、このタグは隅部の前記中間部と外側部の間の空間に折り返される。
【０００６】
他の選択肢として、前記第１の一体構成部が前記隅部の内側部および外側部の一方の縁辺にある第１のノッチであってよく、このノッチは、前記隅部の内側部および外側部の他方の縁辺にある第２のノッチを具えた第２の一体構成部と噛み合わすことができる。好ましくは、前記隅部の前記内側部および外側部の一方の縁辺がタブを有し、前記第１のノッチがタブと前記内側部および外側部の一方との間に画成され、このノッチは、前記内側部および外側部の一方と前記中間部との間の前記折り曲げ線に開口し、これが前記縁辺をつないでいる。
【０００７】
好ましくは、前記タブは、前記フラップがその折り曲げ位置にある場合、容器の縁辺の前記側壁の間の空間をほぼ塞ぐ。
【０００８】
好ましくは、ノッチのそれぞれが根元を有し、前記フラップがその折り曲げ位置にある場合、各ノッチの根元が合致している。
【０００９】
好ましくは、前記フラップがその折り曲げ位置にある場合、前記第１および第２のノッチは一直線状に並んでいる。
【００１０】
他の選択肢として、前記第１の一体構成部が前記隅部の内側部にあるフックであってよく、このフックは前記内側部の２本の辺を持ったＶ字形切り欠きにより形成され、前記中間部に最も近い第１の前記辺は前記縁辺まで延在し、前記中間部から最も遠い第２の前記辺は前記縁辺から所定距離で終わり、前記第２の辺は、前記フラップがその折り曲げ位置にある場合、前記中間部と外側部との間の折り曲げ線と一直線状に並び、前記外側部と中間部との間の折り曲げ線は、前記フラップがその折り曲げ位置にある場合、Ｖ字形切り欠きの前記第２の辺の先端とほぼ同じ深さまで前記縁辺から除去され、前記フックは、前記隅部の前記中間部と外側部との間の折り曲げ線と係合する際、前記フラップをその折り曲げ状態に保持するようになっている。
【００１１】
好ましくは、前記外側部と中間部との間の前記折り曲げ線の前記除去は、その縁辺での前記折り曲げ線によって形成される前記隅部を除去することにより達成される。
【００１２】
好ましくは、根元と２つ節とを持ったＶ字形折り曲げ線によって前記隅部の前記フックと内側部分との間にヒンジが形成され、前記根元は前記Ｖ字形切り欠きの第２の辺の先端と一致し、前記節が前記縁辺まで延在している。
【００１３】
好ましくは、前記Ｖ字形折り曲げ線の一方の節は、前記Ｖ字形切り欠きの第２の辺と一直線状に並んでいる。好ましくは、前記Ｖ字形折り曲げ線の他方の辺は、前記Ｖ形形切り欠きの第２の辺に対してほぼ直交している。
【００１４】
他の選択肢として、前記第１の一体構成部は、前記外側部および中間部の両方に形成されたウイングであってよく、このウイングは前記中間部の縁辺から前記外側部の縁辺まで延在する折り曲げ線によって形成され、前記第２の一体構成部は前記内側部の縁辺にスロットを具え、前記内側部は、前記ウイングが折り曲げ状態にある場合、前記縁辺から前記外側部および中間部の先端とほぼ一致する深さまで除去され、前記スロットが前記ウイングと噛み合う際に前記フラップをその折り曲げ状態に保持するようになっている。
【００１５】
好ましくは、前記底と側壁との間に折り曲げ線が画成され、これら折り曲げ線は隣接する隅部の前記合流点の間に延在している。
【００１６】
好ましくは、前記材料からなるシートは、展開した平らな場合、ほぼ六角形状である。好ましくは、前記材料からなるシートが耐水材料である。好ましくは、前記材料からなるシートがプラスチック材料、例えばポリプロピレンである。前記容器はボウルの形態であってよい。
【発明を実施するための最良の形態】
【００１７】
さて、本発明の好ましい実施形態が添付図面を参照して単なる例示によって記述される。
【００１８】
ここで添付図面の図１を参照すると、本発明による折りたたみ式容器の第１の実施形態がその展開された平らな状態で示されている。この容器は、その本体に引かれた複数の折り曲げ線が与えられた材料からなるシート１を具えている。
【００１９】
このシート１はほぼ六角形の形状である。他の実施形態において、このシート１は、概ね円形または他の任意の適当な形状であってよい。六角形の各縁辺が５ａから５ｆで示され、これらの縁辺は折り曲げ状態にて容器の縁辺５を形成する。
【００２０】
シート１には、隅部６ａ，６ｂおよび６ｃを有する自立式三角底３を画成する底折り曲げ線２が与えられている。「自立式」というのは、容器がその折り曲げ状態にある場合、底３は、容器が外部の支持を必要とせずに直立が可能であることを意味する。
【００２１】
Ｖ字形配列の２つの折り曲げ線４，７は、それぞれの隅部６ａ，６ｂおよび６ｃから縁辺５まで延在している。これら折り曲げ線４および７は、隅部１１の中間部８を相互に画成する。例示した実施形態においては３つの中間部８があり、それぞれ概ね三角形の形状である。折り曲げ線４，７はまた、隅部１１の間に延在する３つの側壁１６ａ，１６ｂおよび１６ｃと共に隅部１１の外側部８ｂおよび内側部８ｃを画成する。
【００２２】
タブ９は、縁辺５ａ，５ｃおよび５ｅのそれぞれの端から分岐点３００まで外側に延在している。それぞれのタブ９は湾曲した外端部１０を有する。ノッチ１２が分岐点３００からそれぞれの縁辺５ａ，５ｃおよび５ｅと平行に破れ止め開口部１３まで続いている。
【００２３】
第２のノッチ１４は、折り曲げ線７から離れた縁辺５ａ，５ｃおよび５ｅの箇所から傾斜状態で内側部８ｃのそれぞれへと内側に延在している。これらのノッチ１４は、破れ止め開口部１５まで続いている。
【００２４】
ノッチ１２，１４は、隅部１１が折り曲げられた場合（図２ｂ参照）、ノッチ１２，１４の根元が実質的に合致するように位置決めされる。さらにこの位置において、これらは相互に一直線状に整列し、これらを係合させた場合、隅部１１を相互に保持する。開口部１３および１５は、ノッチ１２および１４が引き裂かれるのを阻止する。
【００２５】
隅部１１を折るため、（それぞれ容器の内部に対して）内側部８ｂが内側を向くと共に中間部８ａが外側を向くように、折り曲げ線４が容器の中心に向けて内側に折り曲げられる。同時に、外側部８ｃも同様であるが中間部８ａの背後から内側を向くように、折り曲げ線７が外側に折り曲げられる。これによってフラップ８が形成され、それぞれ重なり合う内側，中間および外側部８ｂ，８ａおよび８ｃを具えている。フラップが形成されると、ノッチ１２および１４を相互に係合して噛み合わすために動かすことができるように、フラップの中間部を横切ってタブ９を折り曲げることが可能である。これは、隅部１１を折り曲げ位置に実質的に固定する。
【００２６】
シート１の他の選択肢として、図３に示すようにタブ９を与えず、その代わりに２つのノッチ２０および２１を与える。場合によって、各ノッチは、シート１の縁辺５から側壁１６ａ，１６ｂおよび１６ｃへと延在することができる。フラップを形成するため、図２に示すように折り曲げ線７および４を用いて隅部片８を折り曲げた時、ノッチ２０およびノッチ２１の根元が実質的に合致してこれらノッチ２０および２１が相互に噛み合わすことができるように、ノッチ２４および２１が位置決めされる。
【００２７】
本発明の第２の実施形態が図４に示され、折りたたみ式容器１'がその展開された平らな状態で示されている。容器１'は、材料からなるシート２２を具えている。このシート２２にはその本体に引かれた複数の折り曲げ線が与えられている。
【００２８】
このシート２２の形状は、ほぼ九角形である。この九角形は、６つの等しい長さの縁辺２３と、これよりも短くしかも等しい長さの３つの縁辺２４とを具えている。
【００２９】
第１の折り曲げ線２５は、それぞれ短尺縁辺２４の第１の端２６から、場合によってシート２２上の分岐点２７，２７'または２７"まで延在することができる。分岐点２７ａ，２７ｂおよび２７ｃは相互に等距離にあり、容器の折り曲げによって分岐点の間の領域が容器の自立底を充分に形成するよう、位置決めされている。第２の折り曲げ線２８は、それぞれ短尺縁辺２４の第２の端３０から、場合によって分岐点２７ａ，２７ｂまたは２７ｃまで延在することができる。折り曲げ線２７および２８は、隅部の中間部３３ａを相互に画成する。本実施形態においては３つの隅部の中間部が与えられ、それぞれ概ね三角形の形状である。折り曲げ線はまた、３つの内側部３３ｂと、外側部３３ｃとを側壁３４と共に画成する。
【００３０】
形状が台形のタブ２９は、各縁辺２３から外側に延在し、隣接する短尺縁辺２４の第２の端３０に隣接している。タブ２９には２つの湾曲した外側端３１が与えられる。折り曲げ線３２がタブ２９の底を画成している。折り曲げ線３２は、縁辺２４と同じか、僅かに長さが短い。
【００３１】
シート２２を平らな状態から折り曲げ状態へと変えるため、中間部３３ａが（容器の内部に対して）外側を向くように、内側部３３ｂが折り曲げ線２８に沿って内側に折り曲げられる。外側部３３ｂは外側に押されて折り曲げ線２５に沿って折れ曲がる。これにより、図５に示すようにフラップ３３ａ，３３ｂ，３３ｃが形成される。フラップは、縁辺から２つの折り曲げ線２５および２８の分岐点２７まで延在する。タブ２９は内側部３３ｂと一体である。
【００３２】
フラップが形成されると、次にタブ２９がフラップの中間部３３ａに折り曲げられる。タブ２９，中間部３３ａおよび外側部３３ｃの相互作用がフラップを支持すると共に隅部１１'を折り曲げ位置に保持する。
【００３３】
望むのであれば、分岐点２７ａ, ２７ｂおよび２７ｃの間に折り曲げ線を与え、これらの間の底４０を平らにすることができる。
【００３４】
本発明の第３実施形態が図６に示され、折りたたみ式容器はその展開された平らな状態で示されている。この容器は、材料からなる１枚のシート８００を具えている。このシート８００にはその本体に引かれた複数の折り曲げ線が与えられている。
【００３５】
シート８００は、八角形の形状である。このシート８００は、それぞれ等しい長さの２つの長尺縁辺８０１と、同じく等しい長さの４つの短尺縁辺８０２と、４つの隅端部８０６とをそれぞれ具えている。
【００３６】
シート８００には、正方形の自立底８０４を画成する内側折り曲げ線８０３が与えられている。折り曲げ線８０５が自立底８０４の各隅部の分岐点８０６から延在している。各折り曲げ線８０５は、各隅端部８０６の分岐点８０７まで延在している。第２の折り曲げ線８０９は、底８０４の各隅部の分岐点８０６から延在している。第２の折り曲げ線８０９のそれぞれは、各短尺縁辺の分岐点まで延在している。
【００３７】
折り曲げ線８０５および８０９は、隅部１１''の中間部８１６を相互に画成する。本実施形態においては４つの中間部が与えられ、それぞれ概ね三角形の形状である。折り曲げ線８０５および８０９はまた、４つの側壁、つまり２つの小さな側壁８１４と、２つの大きな側壁８１８とを画成する。
【００３８】
第３の折り曲げ線８１５は、縁辺８０２から隅部片８１６を横切って縁辺８０１にある分岐点まで延在している。これは、隅部片と隣接する側壁８１８の部分とにまたがるウイング８１７を画成する。
【００３９】
第１の下向き傾斜の縁辺８１０は、各短尺縁辺８０２の第１の端８１１から２つの縁辺が交わる分岐点８１２まで延在している。２つのスロット８１３および８１３'は、分岐点８１２からそれぞれの側壁８１４へとＶ字形に延在している。
【００４０】
シート８００を平らな状態から折り曲げ状態へと変えるため、折り曲げ線８０５および８０９を使い、隅部片８１６のそれぞれが隣接する側壁８１４の外側に向けて折り曲げられ、隅部片８１６の外側面が隣接する側壁８１８の外側面と接してフラップ８１９を形成するようになっている。フラップ８１９は、側壁８１８へと延在する外側部８２０と、隅部片８１６によって形成される中間部８２３と、側壁８１４へと延在する内側部８２４とを有する。ウイング８１７は、中間部８２３および外側部８２０の両方に対して一体である。スロット８１３は内側片８２４と一体である。
【００４１】
図７に示すようにフラップが形成された場合、下向き傾斜の縁辺８１０は、縁辺の深さが外側部８２３および中間部８２０の先端とほぼ完全に一致するように、中間部８２３の（縁辺８０２によって形成された）縁辺に変化を与える。従って、隅部片８１７を折り曲げ状態に維持するフックと折り曲げとの相互作用により、ウイング８１７は内側部８２４にてスロット８１３に係合することが可能である。
【００４２】
本発明の第４実施形態が図８に示され、折りたたみ式容器がその展開された平らな状態で示されている。この容器は、材料からなるシート５０を具えている。このシート５０には、その本体に引かれた複数の折り曲げ線が与えられている。
【００４３】
シート３５は、ほぼ２４角形の形状である。本実施形態において、２４角形は、それぞれ等しい長さの４つの長尺縁辺５１と、同じく等しい長さの２０の短尺縁辺５２，５２'，５２''，５２'''，５２''''とを具えている。
【００４４】
シート５０には自立底５４を画成する内側折り曲げ線５３が与えられている。本実施形態における自立底５４は長方形である。自立底の他の選択肢として他の任意の適当な形状がある。
【００４５】
折り曲げた場合、容器５０は４つの複合隅部６５を有する。それぞれの隅部は、上述の図４および図５を参照したものと同様な２つの隅部１１ａ，１１ｂを具えている。第１の折り曲げ線５５は、自立底５４の各隅部の分岐点５６，５６'，５６''および５６'''から延在している。それぞれの折り曲げ線５５は、各短尺縁辺５２'の第１の端部５６まで延在している。第２の折り曲げ線５７は、長方形の底５４の各隅部の分岐点５６，５６'，５６''および５６'''から延在している。折り曲げ線５７のそれぞれは、各短尺縁辺５２'は、第２の端部５８まで延在している。折り曲げ線５５および５７は第１の中間部６３ａを相互に画成する。
【００４６】
第３の折り曲げ５９線は、各隅部の分岐点５６，５６'，５６''および５６'''から延在している。折り曲げ線５９のそれぞれは、各短尺縁辺５２''''の第１の端部６１まで延在している。第４の折り曲げ線６０は、各隅部の分岐点５６，５６'，５６''および５６'''から各短尺縁辺の第２の端部６２まで延在している。折り曲げ線５９および６０は、第２の中間部６４ａを相互に画成する。
【００４７】
折り曲げ線５９および５７は、４つの複合隅部片６５を相互に画成する。折り曲げ線５５，６４はまた、第１および第２の側壁６６，６７と共に内側部６３ｂ，６４ｂをそれぞれ画成する。
【００４８】
第１のタブ６８が各縁辺５２''から外側に延在している。縁辺５２''は、タブ６８の底の折り曲げ線として機能する。第２のタブ６９は各縁辺５２'''から外側に延在している。縁辺５２'''は、タブ６９の底の折り曲げ線として機能する。
【００４９】
シート５０を平らな状態から折り曲げ状態へと変えるため、図９ａおよび図９ｂに示すように各中間部６３ａ，６４ａの外側面が内側に折り曲げられる。それぞれのフラップ６３，６４が形成されると、タブ６８，６９は各中間部６３ａ，６４ａに重ねて折り曲げられる。タブ６８、６９と中間部６３ａ，６４ａおよび外側部６３ｃ，６４ｃとの相互作用が隅部６５を折り曲げ位置に保持する。
【００５０】
本発明の第５実施形態が図１０および図１１に示され、折りたたみ式容器がその展開された平らな状態で示されている。この容器は材料からなるシート７０を具えている。このシート７０には、その本体に引かれた複数の折り曲げ線が与えられている。
【００５１】
シート７０には、自立底７４を画成する内側折り曲げ線７３が与えられている。本実施形態における自立底４０は三角形である。自立底の他の選択肢として他の任意の適当な形状がある。
【００５２】
折り曲げ線７５は、自立底７４の各隅部の分岐点７６，７６'および７６''から延在している。それぞれの折り曲げ線７５は、各短尺縁辺７２の第１の端部７６まで延在している。第２の折り曲げ線７７は、三角形の底７４の各隅部の分岐点７６，７６'および７６''から延在している。第２の折り曲げ線７７のそれぞれは、第１の下向き傾斜の縁辺８０と第２の下向き傾斜の縁辺８１との間の分岐点７８まで延在している。第１の下向き傾斜の縁辺８０は、各短尺縁辺７２の第２の端部８２から分岐点７８まで延在している。第２の下向き傾斜の縁辺８１は、各長尺縁辺７１の第１の端８３から分岐点７８まで延在している。
【００５３】
折り曲げ線７５および７７は、隅部片８４を相互に画成する。本実施形態においては３つの隅部片が与えられ、それぞれ概ね三角形の形状である。折り曲げ線７５および７７はまた、３つの側壁８５を画成する。
【００５４】
フック９０は、下向きのＶ字形切り欠きによって各側壁８５に形成されている。Ｖ字形切り欠きは、２つの辺８８および８７を有する。第１の辺８８は縁辺７１まで延在している。第２の辺８７は縁辺７１からある距離で終わっている。フック９０には、２つの節４０１および４０２を有するＶ字形折り曲げ線を具えたヒンジが与えられている。各節は、縁辺７１から、Ｖ字形切り欠きの第２の辺８７の先端と合致する分岐点４０３まで延在している。Ｖ字形折り曲げ線の第１の節４０１は、Ｖ字形切り欠きの第２の辺８７とほぼ一直線状に並ぶ。Ｖ字形折り曲げ線の第２の節４０２は、第１の節４０１とほぼ直交している。フック９０は好ましくはタブ７００を有する。
【００５５】
シート５０を平らな状態から折り曲げ状態へと変えるため、隅部片８４のそれぞれが折り曲げ線７５および７７を使って隣接する側壁８５の外側に向けて折り曲げられ、フラップ３３０を形成するフック９０の下で隅部片８４の外側面が隣接する側壁８５の外側面に接するようになっている。フラップ３３０は、側壁８５へと延在する外側部３３１と、隅部片８４によって形成される中間部３３２と、側壁８５'へと延在する内側部３３３とを有する。フック９０は内側部３３３と一体に形成されている。
【００５６】
フラップを形成した場合、縁辺の深さがほぼＶ字形切り欠きの辺８７の先端とほぼ合致するように、下向き傾斜の縁辺８０および８１が中間部３３２および外側部３３１の（縁辺７０および７１によって形成される）縁辺の負荷を軽減する。従って、フック９０は、中間部３３２と外側部３３１との間のフラップ３３０に係合することが可能であり、フックと折り曲げとの相互作用が隅部片８４を折り曲げ状態に保持する。
【００５７】
前述の実施形態において、内側部および外側部の折り曲げを逆にすることによって一般的に入れ替え可能である。一方の部材（すなわちノッチ，タブまたはフック）がある一体化部品は、他方の部材がある部品を何れかの方向に噛み合わせるのに概ね役立つ。他方、（本発明の容器を有効に構成する）ポリプロピレンの弾性のため、いくつかの前述の構造は一方向にのみうまく機能し、容器の曲がり具合は隅部を相互に保持するための責めの一部となる。これは、例えば、フラップが中間部と外側部との間の隙間に向けてタブを内側に押し付けるのを助けるように、タブ２９を（容器の中央から）外側に折り曲げる必要がある図４の実施形態に関して当てはまる。この分野の熟練者であれば、異なる要求に応じた構造を示すことができる。例えば、図１の実施形態におけるフラップ９を記載したように六角形状に折り曲げた場合、隣接する側壁の間に必然的に形成される隙間を塞ぐのにも役立つ。従ってタブは実質的に滑らかな縁辺をもたらす。
【００５８】
容器を耐水材料で作った場合、液体を漏らさずに収容できることは明らかである。さらに、展開した場合に拭うことによってこれらを容易にきれいにすることができる。本発明は、主としてボウルを形成する場合に有効である。
【図面の簡単な説明】
【００５９】
【図１】本発明の第１実施形態による容器を展開した平らな状態で示した平面図である。
【図２ａ】折り曲げ途中状態にある図１の容器の隅部を示している。
【図２ｂ】折り曲げ状態にある図１の容器の隅部を示している。
【図３】本発明による容器の第２実施形態をその展開した平らな状態で示す平面図である。
【図４】本発明による容器の第３実施形態をその展開した平らな状態で示す平面図である。
【図５】折り曲げ途中の状態にある図４の容器の隅部を示している。
【図６】図４の容器の変形例の平面図を示している。
【図７】折り曲げ途中の状態にある図６の容器の隅部を示している。
【図８】複合隅部を有する図６の容器の変形例の平面図を示している。
【図９ａ】折り曲げ途中状態にある図８の容器の隅部を示している。
【図９ｂ】折り曲げ状態にある図８の容器の隅部を示している。
【図１０】本発明による別な容器を展開した平らな状態で示した平面図である。
【図１１ａ】折り曲げ途中状態にある図１０の容器の隅部を示している。
【図１１ｂ】折り曲げ状態にある図１０の容器の隅部を示している。
【図１】
2006502922.tif 000003
【図２ａ】
2006502922.tif 000004
【図２ｂ】
2006502922.tif 000005
【図３】
2006502922.tif 000006
【図４】
2006502922.tif 000007
【図５】
2006502922.tif 000008
【図６】
2006502922.tif 000009
【図７】
2006502922.tif 000010
【図８】
2006502922.tif 000011
【図９ａ】
2006502922.tif 000012
【図９ｂ】
2006502922.tif 000013
【図１０】
2006502922.tif 000014
【図１１ａ】
2006502922.tif 000015
【図１１ｂ】
2006502922.tif 000016
【国際調査報告】
2006502922.tif 000017
2006502922.tif 000018
2006502922.tif 000019